(57)【要約】【課題】フラッシュ・ムービーで作られたコンパクト・ディスクを万人が利用しやすい形態にし、外部通信媒体に向けて使用者側から利用価値の高い環境を作るアイテムとしての機能を持たし、配置する画像のソフトの種類やファイル形式の許容範囲を広げ、加工作業時間の軽減をはかる効果を得る。【解決手段】主題データーを主題プロジェクター１と主題ＳＷＦ２にしたファイルにし、主題ＨＴＭＬ９と主題名の英半角小文字を含んだオートラン・テキスト４とともにコンパクト・ディスクに書込む。また、副題データーを独立した副題ＳＷＦ３で作成し、副題ＨＴＭＬ１０とともにコンパクト・ディスクに書込む。さらに、他のソフトで制作されたＥＰＳファイル画像１３などを直接フラッシュ・レイヤー１６上にドラッグ・アンド・ドロップ１４し、ムービー用のデーターとして使用する。【選択図】図３
2004252913.tif 000002
【特許請求の範囲】
【請求項１】
パーソナル・コンピューター上ではじめに立ち上げる主題データーをフラッシュ上で、コンパクト・ディスクを再生しやすくした主題プロジェクター（１）と再生プレイヤー用主題ＳＷＦ（２）及び、外部通信に連絡する主題ＨＴＭＬ（９）にしたファイルに主題名の英半角小文字を含む自動再生用オートラン・テキスト（４）を加えたコンパクト・ディスク。また、主題データー上の移動ボタンで連絡する副題データーを独立した副題ＳＷＦ（３）と外部通信に連絡する副題ＨＴＭＬ（１０）ファイルを加えたコンパクト・ディスク。
【請求項２】
フラッシュ上でムービーを制作するさいに、他のソフトで作成したイラストや写真などのＥＰＳファイル画像（１３）を直接フラッシュ・レイヤー（１６）上に、作成ソフト上から掴みあげ配置する、ドラッグ・アンド・ドロップ（１４）によりデーターとして導入する方法とその活用法。
【発明の詳細な説明】
【０００１】
【発明の属する技術分野】
本発明は、フラッシュにより作られたデーターをコンパクト・ディスクに書込む際のファイル形式の構成及び作成方法に係わるものであり、かつ他のソフトと連携したフラッシュ・ムービーをコンパクト・ディスクに導入する方法である。
【０００２】
【従来の技術】
従来フラッシュ・ムービーは、インターネットのホームページ自体を作成することを主な用途としていた。作成されたホームページはウェーブページ上にアップロードされ、他人からのアクセスをただ待っているという状態が多く、外部通信媒体と連携が悪かった。またフラッシュ・ムービーを用いたコンパクト・ディスクは、データーが単体で構成されてる傾向があり、修正または追記するとデーター上の他の部分に影響しやすく、多大な確認作業を要した。コンパクト・ディスクはパーソナル・コンピューター上でフラッシュ・ムービーをうまく開けないケースも度々生じていた。さらに、印刷物や写真画像に主力で用いるＥＰＳデーターなどの製版用に適しているデーターは、フラッシュと互換性が悪いので、使用データーが制限されていた。
【０００３】
【発明が解決しようとする課題】
フラッシュ・ムービーで作ったコンパクド・ディスクが、汎用しているパーソナル・コンピューター上で、誰でも簡単に見れるようにする。また、フラッシュで作られたデーター構成を修正や追記する際の作業時間の負担を軽減するようにコンパクト・ディスクに書込まねばならない。
【０００４】
フラッシュ・ムービーで作ったコンパクト・ディスクに、インターネットやブロードバンドといった外部通信媒体に向けて、利用者各自が作った情報ページが多くのアクセスを期待できる環境を導入するための機能を持たさねばならない。ホームページを開設した、という自己満足をもたらすだけでなく、法人用に到っては年間１０万円以上も維持費のかかるウエーブ費用に見合った水準の、宣伝効果を発揮するような媒介製品の開発が望まれている。ウエーブページにかかわる情報群を固定データー（１年間程度は変える必要のないデーター）と流動データー（週・月単位などで更新が要求されるデーター）にバランスよく分別し、コンパクト・ディスクから積極的に外部通信媒体と相乗効果をもたらしやすい設定を供出することにより、アクセスの不均衡を解消しなければならない。
【０００５】
印刷物や写真画像などの製版に係わる製品はやり直しがきかず、作成者は校正作業などに多くの時間や手間を強いられ、また過酷な締切りに追われていた。フラッシュ・ムービーで作られたコンパクト・ディスクをこうした製版製品の代用や補助に使えれば、追記や修正が可能なので上記のような負担を軽減できる。製版の主力データーであるＥＰＳ形式等のファイルが、フラッシュ・ムービーのレイヤー上に配置できれば、製版の画像内容を再現でき、加工時間を削減できる。フォトショップ上でクリッピング・パス（写真の被写体の周りの背景をくり抜く加工）されたような複雑な制約をはらんだＥＰＳデーターをそのまま利用できれば製版用データーとの互換性が高まる。ＪＰＥＧデーター（ウエーブページの画像等を処理するような簡易データー）をレイヤー上でフラッシュ・データーに再加工する手間もなくし、製版の負担に係わる概念も同時に覆さねばならない。
【０００６】
【課題を解決するための手段】
上記の目的を達成するため、主題データーをフラッシュでプロジェクター形式とＳＷＦ形式にしたファイルを作り、主題データーと同名の英半角小文字を含むオートラン・テキストと一緒にコンパクト・ディスクに書込む。
【０００７】
副題データーを独立したＳＷＦ形式にし、複数存在する時は相当数分のＳＷＦ形式ファイルをコンパクト・ディスクに書込む。オートラン・テキスト・ファイルの設定は１行目に［ａｕｔｏｒｕｎ］、２行目にｏｐｅｎ＝ｘｘｘｘｘ．（ｘｘｘｘｘは主題データーの任意の題名）ｅｘｅと英半角小文字で作成する。
【０００８】
上記の過程で作られたもののうち、主題データーと副題データーにＨＴＭＬ形式のファイルを追加すると、データーからウエーブページに連絡したりデーター自体をウエーブページとしてアップロードする機能を持たすこともできる。
【０００９】
外部通信媒体の利用効率を高めるには、ホームページは別個に作成しウエーブ上に掲載しておき、流動データーとして必要に応じて更新を行う。コンパクト・ディスクの内容は、固定データーとして作成し、移動ボタンによりホームページに連絡させる。
【００１０】
フラッシュ上でムービーを制作するさいに、ＥＰＳ形式などの他のファイルの画像を直接フラッシュのレイヤー上にドラッグ・アンド・ドロップし配置する。
【００１１】
【発明の実施の形態】
発明の実施の形態を実施例に基づき図面を参照して説明する。
図１のように、フラッシュ・ムービーの主題データーは主題プロジェクター１と主題ＳＷＦ２にファイル分けしておく。主題データーから移動ボタンによって連絡する副題データーは、別個に独立したファイル副題ＳＷＦ３にする。移動ボタンで連絡する副題データーが複数ある場合には、相当数のＳＷＦファイルを作成する。主題データーは同名タイトルのオートラン・テキスト４・ファイルを英半角小文字により作成しコンパクト・ディスクに書込む。５はパーソナル・コンピューターのデスクトップ、６はコンパクト・ディスクの内容画面を示している。各データー・ファイルの名称は、英半角小文字６文字以下程度が望ましい。
【００１２】
図２はオートラン・テキスド・ファイルの内容を示している。オートラン・テキスト・ファイルの設定画面７で８に示すとおり１行目に［ａｕｔｏｒｕｎ］、２行目にｏｐｅｎ＝ｘｘｘｘｘ．ｅｘｅ（ｘｘｘｘｘは主題データーの任意の題名）と英半角小文字により作成する。フォントはＦｉｘｅｄＳｙｓを用いて、標準スタイルの１４ポイントで打つ。
【００１３】
図３は図１で示されたファイル構成に、主題ＨＴＭＬ９と副題ＨＴＭＬ１０のファイルを加えたものである。このファイル構成はコンパクト・ディスクに書込んだ主題データー、及び副題データーをウエーブ上に連絡させたり、直接アップロードしたりするためのものである。
【００１４】
図４は、フォトショップの作成画面１１上からＥＰＳファイル画像１３をフラッシュ・レイヤー１６上に配置する方法を示している。フォトショップの作成画面１１上において画像をフォーマットするときマッキントッシュ８ビットまたは、なしにし、バイナリ形式にする。色データーはＲＧＢ形式にしておく。パーソナル・コンピューターのハードディスク５上にフラッシュの作成画面１５を一緒に立ち上げ、移動したい画像部分を矢印ツールで指定しマウス等で掴みフラッシュ・レイヤー１６上に直接ドラッグ・アンド・ドロップ１４して配置する。マッキントッシュ上でＥＰＳ形式にしたファイルをウィンドーズ上に持ってくると、フォトショップのファイルがイラストレーターのファイルとして表示されることがあり、この場合はイラストレーター上で同様の作業を行う。
【００１５】
図５で示される（ａ）（ｂ）（ｃ）はコンパクト・ディスクの中の、主題部や副題部のコンピューター上に写し出される内容レイアウトを示している。
（ａ）はコンパクト・ディスクの主題データー部分である。この部分は、プロジェクター形式で立ち上げられる。タイトル文字やメッセージの入る部分１７を打ち込むスペースをとっておく。写真やイラストが入る枠１８、副題に移動するボタン１９、ホームページに連絡するボタン２０、Ｅメールに連絡するボタン２１は予めひな形を作れば、変更作業を軽減できる。ホームページはこれとは別に、流動データーとして作成しておくとよいが、場合によって、主題データーや副題以下のデーター自体をホームページとしてアップロードすることもできる。
（ｂ）はコンパクト・ディスクの副題データー部分である。この部分は独立したＳＷＦ形式になっている。写真やイラストが入る枠２２、各種項目記入欄（いくくつかのディーテールを書込むための部分）２３、主題に移動するボタン２４、ホームページに連絡するボタン２５、Ｅメールに連絡するボタン２６はあらかじめひな形を作っておくと、変更作業を軽減できる。写真やイラストが入る枠２２自体を移動ボタンにしてこの副題部から、さらに詳細な別個の副題部へ連絡させている。
（ｃ）はコンパクト・ディスクの詳細な別個の副題部データー部分である２７のベタ（塗りつぶし背景）にクリッピング・パスなどのＥＰＳ画像データー２８を配置している。副題にもどるボタン２９、ホームページに連絡するボタン３０、Ｅメールに連絡するボタン３１はあらかじめひな形を作っておくと、変更作業を軽減できる。２８のようなＥＰＳ画像データーは、視覚的効果を高めるためのズームアップ機能を持たすこともできる。
【００１６】
【発明の効果】
本発明は、以上説明したように構成されているので、以下に記載されるような効果を奏する。
【００１７】
大半のパーソナル・コンピューター上で再生が容易になる。ウィンドーズ系ではオートランの効果により再生が始まる。マッキントッシュ上ではクイック・タイム・ビューアー（動画再生ソフト）によって再生が可能になる。この結果、フラッシュ・ムービーで作られたコンパクト・ディスクはウインドーズ９５以降やｉｍａｃにおいて簡単に再生、利用することができる。
【００１８】
フラッシュ・ムービーの主題データー上に配置されたボタンによって連絡する副題データーをＳＷＦ形式で、別個の独立データーとしてコンパクト・ディスクに書込むことによって、単一データーとして構築されていた主・副題データーを分離した。フラッシュのデーターを変更するとその影響がファイル全体に及びがちであったが、修正あるいは追記するさいに、必要データー部分のみの作業になり、時間や手間といったリスクを回避できる。
【００１９】
コンパクト・ディスクにフラッシュ・ムービーで印刷物や写真等のイメージを書込んでおけば、持ち運びにも便利であり、必要に応じて適宜追記、修正することも可能である。製版用の画像保存にはＭＯ（マグネット・オプティカル形式のディスク）が主に使われているが、汎用性を考えれば、携帯用にはコンパクト・ディスクのほうが使い勝手がよい。オンデマンド印刷のような小ロットで作成した印刷物と一緒に、補助商品としてコンパクト・ディスクを提供すれば、新たな顧客サービスを展開できる。さらにはフラッシュ・ムービーは視覚効果が強いので印刷物に比べ、ワード・プロセッサーによる文字入力数量が少なくても宣伝効果を発揮できる。フラッシュ・ムービーを導入したコンパクト・ディスクは最終製品ではないので、校正にかかわる労力を一気に軽減できる。情報の変容の激しい中、こうした効果は印刷、製版に係わる業界の常識を覆すものとなる。
【００２０】
図１、図２及び図３の過程を経て、フラッシュ・ムービーで作られたコンパクト・ディスクは、大半のパーソナル・コンピューターを扱う使用者にとって必要な時にいつでも利用できるツールとなった。インターネットやブロードバンドといった外部通信媒体に向け移動ボタンにより直接連絡しやすくなり、従来のような、ただ他人からのアクセスを待つだけの状態を解消できる。固定情報を持ったコンパクト・ディスクから流動データーを掲載しているウエーブページへの、積極的な情報利用が期待できるようになった。通常は検索の煩わしさからアクセス件数が皆無になってしまう危惧も、アクセスを促すコンパクト・ディスクを相手方に配付すれば固定情報や流動情報を同時に宣伝する機会が増え、外部通信媒体の有効利用につながる。
【００２１】
ＨＴＭＬ形式によってファイルを附随すればコンパクト・ディスクの内容をそのままホームページのデーターとして掲載することもできるので、自動販売機によって、コンパクト・ディスクのパーソナル供用も可能である。デジタル・カメラによって、即席の写真を撮影した画像を伴い、タッチ・パネルでパーソナル・データーを記入したコンパクト・ディスクを自動販売機で作成し、プリントクラブ（即製写真付きシール）のようにパーソナル製品を提供することで、新たな玩具業界の市場を開拓できる。名刺型のコンパクト・ディスクを用いる等すれば、形状の小型さから、購入者の興味を高めることもできる。プロジェクターまたはＳＷＦで作られたファイルは元の画像データーの含むデーターの約１０分の１程度のメモリーで作れるので、約５０メガバイトのメモリー容量で設定されている名刺型コンパクト・ディスクでもかなりの情報を書込むことができる。
【００２２】
クリッピング・パスによる効果を持ったＥＰＳ画像データーを配置することにより、ベタの背景上に商品画像をメニューやカタログ用にレイアウトすれば、視覚効果により購入希望者の意欲を高めことができる。画像を拡大させたり、移動ボタンにより発注画面に連絡させたりすることにより、商品の販売拡大に寄与する。このような効果により、宅配ピザや百貨店のギフト等の宅配・通信用の販売拡大用のツールとして、コンパクト・ディスクは新たな環境を創出する。
【００２３】
フラッシュ・ムービーで作られたコンパクト・ディスクをオンデマンドを含めた印刷物や写真画像などの製版に係わる製品の代用・補助製品とし、プリンターから排出したデーターを即時に資料として利用することにより、プリントショップ（即製印刷店）の新規サービスとして展開できる。
【図面の簡単な説明】
【図１】フラッシュ・ムービーで作られたコンパクト・ディスクのファイル構成データーを示している。
【図２】図１で示されたフラッシュ・ムービーで作られたコンパクト・ディスクのファイルの中のオートラン・テキスト・データーの作成方法を表記したものである。
【図３】ＨＴＭＬ形式によるファイルを付帯し、コンパクト・ディスクの内容をそのまま外部通信媒体へ連絡するための機能を持たせたファイル構成データーを示している。
【図４】フラッシュ・レイヤー上でムービーを制作するさい、他のソフトで制作されたＥＰＳのようなファイルを矢印ツールで指定し、直接フラッシュのレイヤー上にドラッグ・アンド・ドロップする方法を示したものである。
【図５】フラッシュ・ムービーで作られた、コンパクト・ディスクをパーソナル・コンピューター上で再生した画像レイアウトイメージ、及びその作用を示している。
【符号の説明】
１  主題プロジェクター
２  主題ＳＷＦ
３  副題ＳＷＦ
４  オートラン・テキスト
９  主題ＨＴＭＬ
１０  副題ＨＴＭＬ
１３  ＥＰＳファイル画像
１４  ドラッグ・アンド・ドロップ
１６  フラッシュ・レイヤー
【図１】
2004252913.tif 000003
【図２】
2004252913.tif 000004
【図３】
2004252913.tif 000005
【図４】
2004252913.tif 000006
【図５】
2004252913.tif 000007